(57)【要約】【課題】簡易かつ低コストで、プレス成形における材料流入量を予測して、プレス成形品における割れやしわ等の品質上の不具合を検知することができる、プレス成形診断装置およびプレス成形診断方法を提供する。【解決手段】プレス成形診断装置３は、プレス成形後のワークＷから不要部分として切断された少なくとも一部のスクラップＳの重量を計測し、計測されたスクラップＳの重量と所定の閾値とを比較することによりプレス成形品Ｗａの品質を評価する。【選択図】図１
2009202178.tif 000002
【特許請求の範囲】
【請求項１】
プレス成形品の品質を診断するためのプレス成形診断装置であって、
プレス成形後のワークから不要部分として切断された少なくとも一部のスクラップの重量を計測する計測手段と、
前記計測手段により計測された重量と所定の閾値とを比較することによりプレス成形品の品質を評価する評価手段と、
を有することを特徴とするプレス成形診断装置。
【請求項２】
前記所定の閾値は、上限を示す第１閾値を有し、
前記評価手段は、前記計測手段により計測された重量が前記第１閾値よりも大きい場合にはプレス成形品に割れが生じているとの判定を行うことを特徴とする請求項１に記載のプレス成形診断装置。
【請求項３】
前記所定の閾値は、下限を示す第２閾値を有し、
前記評価手段は、前記計測手段により計測された重量が前記第２閾値よりも小さい場合にはプレス成形品にしわが生じているとの判定を行うことを特徴とする請求項１または２に記載のプレス成形診断装置。
【請求項４】
ワークをプレス成形して製品形状に加工するためのプレスライン内に設置されることを特徴とする請求項１〜３のいずれか１項に記載のプレス成形診断装置。
【請求項５】
前記スクラップを、前記プレスラインから排出するための排出経路の途中で静止させ、前記計測手段により重量計測した後に前記排出経路に流すための保持装置、をさらに有することを特徴とする請求項４に記載のプレス成形診断装置。
【請求項６】
前記保持装置は、電磁石を用いて前記スクラップを静止させることを特徴とする請求項５に記載のプレス成形診断装置。
【請求項７】
前記保持装置は、前記排出経路の途中に配置された開閉可能な壁部材を有し、当該壁部材を閉じることにより前記スクラップをせき止めて静止させ、当該壁部材を開くことにより前記スクラップを前記排出経路に流すことを特徴とする請求項５に記載のプレス成形診断装置。
【請求項８】
前記保持装置は、前記排出経路の途中に配置された固定された壁部材を有し、当該壁部材により前記スクラップをせき止めて静止させ、
前記保持装置はさらに、前記壁部材により静止させられた前記スクラップを上昇または下降させて前記壁部材による静止から解放するための移動手段、を有することを特徴とする請求項５に記載のプレス成形診断装置。
【請求項９】
前記評価手段によりプレス成形品に品質上の不具合が生じているとの判定が行われた場合、前記プレスラインの稼働を停止する停止手段を、をさらに有することを特徴とする請求項４〜８のいずれか１項に記載のプレス成形診断装置。
【請求項１０】
プレス成形品の品質を診断するためのプレス成形診断方法であって、
プレス成形後のワークから不要部分として切断された少なくとも一部のスクラップの重量を計測する計測段階と、
前記計測段階において計測された重量と所定の閾値とを比較することによりプレス成形品の品質を評価する評価段階と、
を有することを特徴とするプレス成形診断方法。
【発明の詳細な説明】
【技術分野】
【０００１】
本発明は、プレス成形品の品質を診断するためのプレス成形診断装置およびプレス成形診断方法に関する。
【背景技術】
【０００２】
例えば自動車用ドア部品用のワークは、プレスラインにおいてプレス成形され製品形状に加工される。このプレスラインは、ワークの周辺をダイスとしわ押さえ部とで押えながら成形するドロー工程と、プレス成形後のワークの周辺をトリム加工により所定形状に打ち抜いて切断するトリム工程とを有している。ワークは、トリム工程で製品部分とスクラップとに切り離され、スクラップは廃却されることになる。
【０００３】
ドロー工程において、ワークの周辺をダイスとしわ押さえ部とで押えながらプレス金型によりワークを成形すると、ワークの材料がしわ押さえ部で押圧された周辺部から製品となる中央部に向けて、ダイス面上をすべりながら移動するように流入する。
【０００４】
この場合、しわ押さえ力が小さいほど、材料流入量が多く、材料にかかる張力が小さくなって、しわが生じやすい。一方、しわ押さえ力が大きいほど、材料流入量が少なく、材料にかかる張力が大きくなって、割れが生じやすい。したがって、プレス成形品に割れやしわ等の品質上の不具合が発生することを防止するためには、ワークの周辺をしわ押さえ部で押圧する際のしわ押さえ力を一定にして材料流入量を一定に保つ必要がある。
【０００５】
しかし、プレスラインにおいては、金型の発熱や磨耗等の原因によってしわ押さえ力が変化するため、しわ押さえ力を一定に制御することは困難である。結果的に、材料流入量を一定に保つことができず、プレス成形品における割れやしわ等の品質上の不具合の発生を検知することが困難であった。
【０００６】
このような問題を解決するために、被成形素材を成形するときに生じるアコースティック・エミッション（ＡＥ）を検出することにより、プレス装置における成形不良を監視するためのプレス監視システムが提案されている（特許文献１参照）。ここで、アコースティック・エミッションとは、材料が変形または破壊するとき、内部の微小な動きに伴って超音波を含む弾性波が発生する現象、または当該弾性波をいう。この弾性波を検出して正常な波形と比較することにより、プレス成形品における割れを検知することができる。
【特許文献１】特開２００７−１３２８４４号公報
【発明の開示】
【発明が解決しようとする課題】
【０００７】
しかしながら、上記特許文献１に記載の技術にあっては、弾性波を検出するための特別なセンサが必要となり、コストが高くなるという問題がある。また、プレス成形品における割れの有無を評価するために、検出された信号に対して複雑な処理を施さなければならない。さらに、測定信号内のノイズの除去が課題として挙げられ、プレス成形品における割れの有無を評価する際の正確な判断が難しいと考えられる。
【０００８】
本発明は、上記した課題を解決するためになされたものであり、本発明の目的は、簡易かつ低コストで、プレス成形における材料流入量を予測して、プレス成形品における割れやしわ等の品質上の不具合を検知することができる、プレス成形診断装置およびプレス成形診断方法を提供することにある。
【課題を解決するための手段】
【０００９】
上記目的を達成するための本発明の一側面によれば、プレス成形品の品質を診断するためのプレス成形診断装置が提供される。前記プレス成形診断装置は、プレス成形後のワークから不要部分として切断された少なくとも一部のスクラップの重量を計測する計測手段と、前記計測手段により計測された重量と所定の閾値とを比較することによりプレス成形品の品質を評価する評価手段と、を有する。
【００１０】
上記目的を達成するための本発明の一側面によれば、プレス成形品の品質を診断するためのプレス成形診断方法が提供される。前記プレス成形診断方法は、プレス成形後のワークから不要部分として切断された少なくとも一部のスクラップの重量を計測する計測段階と、前記計測段階において計測された重量と所定の閾値とを比較することによりプレス成形品の品質を評価する評価段階と、を有する。
【発明の効果】
【００１１】
本発明によれば、スクラップが、プレス成形時にしわ押さえ力を受けて押圧され中央部に向けてすべりながら移動するワークの周辺部に相当していることに着目し、かかるスクラップの重量を計測することにより材料流入量を予測することができる。
【００１２】
したがって、簡易かつ低コストで、プレス成形における材料流入量を予測して、プレス成形品における割れやしわ等の品質上の不具合を検知することができる。
【００１３】
また、製品とならないスクラップの重量を測定することによってプレス成形品における品質上の不具合を検知するようにしたので、製品の流れを検出のために止める必要がない。このため、製品のリードタイムを低下させずに済む。
【発明を実施するための最良の形態】
【００１４】
以下、本発明の実施の形態を、図面を参照して詳細に説明する。
【００１５】
図１は、本発明の第１の実施形態にかかるプレス成形診断装置の概略を示す全体構成図である。
【００１６】
図１に示すように、本実施形態のプレス成形診断装置３は、例えば自動車用ドア部品用のワークＷをプレス成形して製品形状に加工するためのプレスライン１内のトリム工程部２に設置されている。
【００１７】
プレスライン１には、プレスライン操作装置１１が設けられている。プレスライン操作装置１１は、作業者の手動操作に基づいてプレスライン１の稼働を開始または停止するための信号をプレスライン１の各工程部に送出する。また、プレスライン操作装置１１は、後述する評価装置３２からの開始指令または停止指令を受信した場合、プレスライン１の稼働を開始または停止するための信号をプレスライン１の各工程部に送出する。
【００１８】
プレスライン１は、ワークＷの周辺をダイスとしわ押さえ部とで挟み込んで所定のしわ押さえ力で押圧しながらワークＷをプレス成形するドロー工程部（図示せず）と、プレス成形後のワークＷの周辺をトリム加工により所定形状に打ち抜いて切断するトリム工程部２とを有している。
【００１９】
ドロー工程部におけるプレス成形時には、ワークＷの材料がダイス面としわ押さえ部との間で挟み込まれて押圧された周辺部から製品となる中央部に向けてすべりながら移動するように流入する。ここで、プレス成形時にワークＷの材料が周辺部から製品となる中央部に向けて流入する量（ｍｍ）を材料流入量と称する。
【００２０】
トリム工程部２は、相互に近接離間移動が可能な、トリム工程上型２１と、トリム工程下型２２とを有している。そして、トリム工程上型２１には、ワークＷの周辺部を打ち抜くためのカッター２３が備えられている。
【００２１】
カッター２３は、ワークＷを製品部分（プレス成形品）ＷａとワークＷの周囲に形成される製品とならない不要部分としてのスクラップＷｂとに分離するために用いられる。スクラップＷｂは、自重により下方へ落下させて処理するために、図示しないスクラップカッターにより複数個に分断される。図中符号Ｓは、複数個に分断された少なくとも一部のスクラップを示す。
【００２２】
また、トリム工程部２は、スクラップＳをプレスライン１から排出するための排出経路としてのシュータ２４を備えている。シュータ２４は、スクラップＳを自重により排出させるために、下流側が低くなるように傾斜している。
【００２３】
プレス成形診断装置３は、スクラップＳの重量を計測する計測装置３１と、計測装置３１により計測された重量と所定の閾値とを比較することによりプレス成形品Ｗａの品質を評価する評価装置３２とを有している。
【００２４】
ここで、計測装置３１により重量計測されるのは少なくとも一部のスクラップＳであり、必ずしも全体のスクラップの重量を計測する必要はない。また、ワーク（製品）の種類によって割れやしわ等の不具合が生じやすい箇所が実験結果等から予めわかっている場合が多いため、不具合が生じやすい箇所に近いスクラップの重量を計測することが好ましい。
【００２５】
計測装置３１は、スクラップＳの重量を計測できれば任意の形式のものが使用でき、例えば、ばねを用いた機械式のものであってもよく、ひずみゲージを用いた電気式のものであってもよい。
【００２６】
評価装置３２は、制御本体部３２１、ディスプレイ３２２、および入力装置３２３を備えている。制御本体部３２１は、計測装置３１から受信した重量計測値に基づいてプレスライン操作装置１１に制御信号を送る。制御本体部３２１は、各種の制御および演算処理を行う制御部と、各種プログラムや各種データを記憶する記憶部とを有している。ディスプレイ３２２は、ＬＣＤ、ＣＲＴディスプレイ等であり、各種の情報の表示に使用される。入力装置３２３は、マウス等のポインティングデバイスやキーボードを含み、各種情報の入力に使用される。
【００２７】
制御本体部３２１の記憶部には、計測装置３１により計測された重量と比較するための所定の閾値が記憶される。この所定の閾値は、ワーク（製品）の種類別に実験結果または有限要素法（ＦＥＭ）による解析結果に基づいて予め決定される。
【００２８】
図２は、材料流入量に対するスクラップ重量の関係を示すグラフの一例である。なお、図２は、ある特定の製品についてのグラフであって、ワークの種類によって図中の数値が異なることは勿論である。なお、本明細書では重量（ｇ）は質量と同様の意味で用いる。
【００２９】
図２に示すように、材料流入量が少ないとスクラップ重量が大きく、プレス成形品に割れが発生していることがわかる。一方、材料流入量が多いとスクラップ重量が小さく、プレス成形品にしわが発生していることがわかる。本発明は、スクラップＳが、プレス成形時にダイス面としわ押さえ部との間で挟み込まれて押圧され製品となる中央部に向けてすべりながら移動する周辺部に相当していることに着目したものであり、かかるスクラップ重量を計測することにより材料流入量を予測するものである。
【００３０】
本実施形態では、所定の閾値は、スクラップ重量の許容可能な上限を示す第１閾値Ｔ１と、同じく下限を示す第２閾値Ｔ２とを有している。評価装置３２は、計測装置３１により計測された重量が第１閾値Ｔ１よりも大きい場合にはプレス成形品Ｗａに割れが生じているとの判定を行う。一方、評価装置３２は、計測装置３１により計測された重量が第２閾値Ｔ２よりも小さい場合にはプレス成形品Ｗａにしわが生じているとの判定を行う。但し、所定の閾値として第１閾値Ｔ１または第２閾値Ｔ２のみを用いて評価する構成も採用され得る。
【００３１】
また、プレス成形診断装置３は、スクラップＳをシュータ２４の途中で静止させ、計測装置３１により重量計測した後にシュータ２４に流すための保持装置３３を有している。本実施形態では、保持装置３３は、電磁石を用いてスクラップＳを静止させることが可能に構成されている。このようにすれば、スクラップＳを電磁石に吸引させることにより簡単に静止させることができる。
【００３２】
このような保持装置３３を使用することにより、スクラップＳを必要な時間だけ静止させた後すぐにシュータ２４に流すことができる。したがって、プレス成形診断装置３をプレスライン１に設置してもラインのサイクルタイムにあわせて動作させることが十分可能である。これにより、製品のリードタイムを低下させることなく、スクラップＳの重量を計測することが可能となる。
【００３３】
次に、図３および図４のフローチャートを参照して、上記したプレス成形診断装置３の動作について説明する。
【００３４】
本実施形態では、プレスライン１のサイクルタイムに基づいて予め設定されたタイマーの動作によって、プレス成形診断装置３が動作する。
【００３５】
図３に示すように、まず、例えばトリム工程上型２１をトリム工程下型２２に対して近接移動させるための信号があったときに同期して、タイマーがオンされる（Ｓ１１）。
【００３６】
続いて、保持装置３３がオンされる（Ｓ１２）。すなわち、保持装置３３は、電磁石に電流を流して電磁石による磁力を生じさせる。
【００３７】
続いて、図５（Ａ）に示すように、トリム工程部２において製品部分Ｗａから切り離されたスクラップＳが、シュータ２４により送られて、保持装置３３により保持される（Ｓ１３）。すなわち、スクラップＳは、保持装置３３の電磁石に吸引されて保持され、静止させられる。
【００３８】
そして、重量測定および品質評価処理が行われる（Ｓ１４）。すなわち、スクラップＳの重量が計測され、計測された重量と所定の閾値とを比較することによりプレス成形品Ｗａの品質が評価される。この重量測定および品質評価処理についての詳細は後述する。
【００３９】
ステップＳ１５では、ステップＳ１１でタイマーがオンされてから予め設定された所定の時間が経過したときに、当該タイマーがオフされる。この所定の時間としては、計測装置３１がスクラップＳの重量を安定的に計測するのに必要な適切な時間が設定される。
【００４０】
続いて、保持装置３３がオフされる（Ｓ１６）。すなわち、保持装置３３は、電磁石への電流を遮断して電磁石による磁力を消滅させる。
【００４１】
続いて、図５（Ｂ）に示すように、保持装置３３により保持されていたスクラップＳが電磁石による吸引から解放される（Ｓ１７）。スクラップＳは、自重によってシュータ２４に流され、図示しないスクラップ収容部に投入される。
【００４２】
次に、図４のフローチャートを参照して、重量測定および品質評価処理（Ｓ１４）について説明する。
【００４３】
図４に示すように、まず、計測装置３１が、保持装置３３により保持されて静止させられているスクラップＳの重量を計測する（Ｓ２１）。
【００４４】
そして、評価装置３２は、計測装置３１により計測されたスクラップＳの重量と第１閾値Ｔ１および第２閾値Ｔ２とを比較することにより、プレス成形品Ｗａの品質を評価し、評価がＯＫであるか否かを判断する（Ｓ２２）。すなわち、スクラップＳの重量が、第２閾値Ｔ２以上第１閾値Ｔ１以下の範囲内にあるか否かが判断される。
【００４５】
ステップＳ２２において評価がＯＫであると判断された場合には（Ｓ２２：ＹＥＳ）、そのまま図３のフローチャートに戻る。
【００４６】
一方、ステップＳ２２において評価がＯＫでない（ＮＧである）と判断された場合には（Ｓ２２：ＹＥＳ）、ステップＳ２３に進み、不具合内容が評価装置３２のディスプレイ３２２に表示される（Ｓ２３）。
【００４７】
ここで、スクラップＳの重量が第１閾値Ｔ１よりも大きい場合には、プレス成形品Ｗａに割れが生じているとの判定が行われ、例えば「割れＮＧ」等の不具合内容がディスプレイ３２２に表示される。あるいは、スクラップＳの重量が第２閾値Ｔ２よりも小さい場合には、プレス成形品Ｗａにしわが生じているとの判定が行われ、例えば「しわＮＧ」等の不具合内容がディスプレイ３２２に表示される。
【００４８】
続いて、評価装置３２は、プレスライン１の稼働を停止するための停止指令をプレスライン操作装置１１に送信し、プレスライン１の稼働を停止させる（Ｓ２４）。これにより、不具合品の数の増大を速やかに防止することができる。
【００４９】
プレスライン１の稼働が停止したら、作業者は不具合があると判定された不良ワーク（プレス成形品）をプレスライン１から不具合品として取り出す（Ｓ２５）。
【００５０】
続いて、作業者は、ドロー工程部におけるプレス成形時のしわ押さえ力の調整を行う（Ｓ２６）。図２に示したように、プレス成形品Ｗａの割れやしわ等の品質上の不具合を回避するためには、材料流入量を適正な範囲に修正する必要がある。ここで、しわ押さえ力が小さいほど材料流入量が多く、一方、しわ押さえ力が大きいほど材料流入量が少ないことがわかっている。したがって、ステップＳ２６では、材料流入量を適正な範囲に修正するために、しわ押さえ力の調整が行われる。
【００５１】
具体的には、ドロー工程部においてスクラップＳに相当するワークＷの周辺部を挟み込むダイス面としわ押さえ部との間のクリアランスを、例えばシムを用いて調整する。この場合、ワークＷの周辺の部分的なしわ押さえ力の調整を行うことができる。あるいはドロー工程部における全体的なプレス荷重を調整する。この場合、ワークＷの全周の全体的なしわ押さえ力の調整を行うことができる。但し、他の方法でしわ押さえ力を調整してもよい。
【００５２】
しわ押さえ力の調整が終了すると、作業者は評価装置３２において入力装置３２３を用いてプレスライン１の稼働を再開させるための所定の操作を行う（Ｓ２７）。ここで、評価装置３２は、プレスライン１の稼働を再開するための開始指令をプレスライン操作装置１１に送信し、プレスライン操作装置１１は、プレスライン１の稼働を開始するための信号をプレスライン１の各工程部に送出する。但し、作業者はプレスライン操作装置１１に対してプレスライン１の稼働を開始するための操作を直接行ってもよい。
【００５３】
プレスライン１の稼働が再開されると、図３のフローチャートに戻る。なお、図３のフローチャートはプレスライン１の稼働中繰り返し実行される。
【００５４】
このように本実施形態のプレス成形診断装置３は、プレス成形後のワークＷから不要部分として切断された少なくとも一部のスクラップＳの重量を計測し、計測されたスクラップＳの重量と所定の閾値とを比較することによりプレス成形品Ｗａの品質を評価する。
【００５５】
本実施形態によれば、スクラップＳが、プレス成形時にしわ押さえ力を受けて押圧され中央部に向けてすべりながら移動するワークＷの周辺部に相当していることに着目し、かかるスクラップＳの重量を計測することにより材料流入量を予測することができる。
【００５６】
したがって、簡易かつ低コストで、プレス成形における材料流入量を予測して、プレス成形品における割れやしわ等の品質上の不具合を検知することができる。
【００５７】
また、製品とならないスクラップＳの重量を測定することによってプレス成形品における品質上の不具合を検知するようにしたので、製品の流れを検出のために止める必要がない。このため、製品のリードタイムを低下させずに済む。
【００５８】
また、プレス成形診断装置３をプレスライン内に設置したので、タイムリーな不具合検知が可能となり、不具合品の発生を速やかに回避することができる。
【００５９】
図６は、本発明の第２の実施形態にかかるプレス成形診断装置の保持装置３３ａの動作について説明するための図である。第２の実施形態は、第１の実施形態と保持装置が異なるが他は同様である。
【００６０】
第２の実施形態では、保持装置３３ａは、シュータ２４の途中に配置された図６（Ａ）中矢印方向に開閉可能な壁部材３４を有している。この保持装置３３ａは、壁部材３４を閉じることによりスクラップＳをせき止めて静止させ（図６（Ａ）参照）、壁部材３４を開くことによりスクラップＳをシュータ２４に流す（図６（Ｂ）参照）。このようにすれば、開閉可能な壁部材３４を閉じ状態にすることによりスクラップＳを簡単に静止させることができる。
【００６１】
したがって、第２の実施形態によっても、上記した第１の実施形態と同様の作用効果を得ることができる。
【００６２】
なお、第２の実施形態の場合、スクラップＳによる重力の一部が壁部材に作用する分だけ計測装置３１によって計測される重量の値が減少するが、予め実験により減少割合を求めておいて換算することが可能である（第３の実施形態でも同様）。あるいは、本明細書において重量の概念に、スクラップＳの重量そのもののほか、スクラップＳの重量に対する所定割合の値を含めて考えることもできる。
【００６３】
図７は、本発明の第３の実施形態にかかるプレス成形診断装置の保持装置３３ａの動作について説明するための図である。第３の実施形態は、第１の実施形態と保持装置が異なるが他は同様である。
【００６４】
第３の実施形態では、保持装置３３ｂは、シュータ２４の途中に配置された固定された壁部材３５を有している。この保持装置３３ｂは、壁部材３５によりスクラップＳをせき止めて静止させる（図７（Ａ）参照）。保持装置３３ｂはさらに、壁部材３５により静止させられたスクラップＳを図７（Ａ）中矢印方向に昇降させるための移動装置３６を有している。保持装置３３ｂは、壁部材３５により静止させられたスクラップＳを下降させて壁部材３５による静止から解放する（図７（Ｂ）参照）。なお、保持装置３３ｂは、スクラップＳを上昇させて壁部材３５による静止から解放する構成とすることも可能である。このようにすれば、固定された壁部材３５でスクラップＳを簡単に静止させることができるとともに、移動装置３６により壁部材３５から解放することができる。
【００６５】
したがって、第３の実施形態によっても、上記した第１の実施形態と同様の作用効果を得ることができる。
【００６６】
図８は、本発明の第４の実施形態にかかるプレス成形診断装置の動作について説明するためのフローチャートである。第４の実施形態は、保持装置をオンまたはオフするためのトリガが第１の実施形態と異なるが他は同様である。
【００６７】
第４の実施形態では、トリム工程上型２１がトリム工程下型２２に対して近接移動し、両者間の距離が所定値以下になったときにオンとなるセンサ（図示せず）がトリム工程部２に設けられる。センサは近接センサ、リミットスイッチ等の任意のセンサが使用され得る。そして、当該センサの動作によって、プレス成形診断装置３が動作する。
【００６８】
図８に示すように、まず、例えばトリム工程上型２１がトリム工程下型２２に対して近接移動して、センサがオンされる（Ｓ３１）。
【００６９】
続いて、保持装置３３がオンされるが（Ｓ３２）、ステップＳ３２〜Ｓ３４の処理内容は、図３のステップＳ１２〜Ｓ１４の処理内容と同様であるので説明を省略する。
【００７０】
ステップＳ３５では、トリム工程部２においてトリム加工が終了してトリム工程上型２１がトリム工程下型２２から離間移動し、センサがオフされる（Ｓ３５）。
【００７１】
続いて、保持装置３３がオフされるが（Ｓ３６）、ステップＳ３６、Ｓ３７の処理内容は、図３のステップＳ１６、Ｓ１７の処理内容と同様であるので説明を省略する。
【００７２】
したがって、第４の実施形態によっても、上記した第１の実施形態と同様の作用効果を得ることができる。
【００７３】
本発明は、上記した実施形態のみに限定されるものではなく、特許請求の範囲内において、種々改変することができる。
【図面の簡単な説明】
【００７４】
【図１】本発明の第１の実施形態にかかるプレス成形診断装置の概略を示す全体構成図である。
【図２】材料流入量に対するスクラップ重量の関係を示すグラフの一例である。
【図３】プレス成形診断装置の動作について説明するためのフローチャートである。
【図４】重量測定および品質評価処理について説明するためのフローチャートである。
【図５】保持装置の動作について説明するための図である。
【図６】本発明の第２の実施形態にかかるプレス成形診断装置の保持装置の動作について説明するための図である。
【図７】本発明の第３の実施形態にかかるプレス成形診断装置の保持装置の動作について説明するための図である。
【図８】本発明の第４の実施形態にかかるプレス成形診断装置の動作について説明するためのフローチャートである。
【符号の説明】
【００７５】
１  プレスライン、
１１  プレスライン操作装置、
２  トリム工程部、
２１  トリム工程上型、
２２  トリム工程下型、
２３  カッター、
２４  シュータ、
３  プレス成形診断装置、
３１  計測装置、
３２  評価装置、
３３、３３ａ、３３ｂ  保持装置、
３４、３５  壁部材、
３６  移動装置、
３２１  制御本体部、
３２２  ディスプレイ、
３２３  入力装置、
Ｗ  ワーク、
Ｗａ  製品部分（プレス成形品）、
Ｗｂ  スクラップ、
Ｓ  スクラップ、
Ｔ１  第１閾値、
Ｔ２  第２閾値。
【図１】
2009202178.tif 000003
【図２】
2009202178.tif 000004
【図３】
2009202178.tif 000005
【図４】
2009202178.tif 000006
【図５】
2009202178.tif 000007
【図６】
2009202178.tif 000008
【図７】
2009202178.tif 000009
【図８】
2009202178.tif 000010